(57)【要約】【課題】仮想空間に表示されるユーザオブジェクトを介してユーザが互いの行動情報を共有するにあたり、ユーザに効果的にインセンティブを与えること。【解決手段】プロセッサを備え、上記プロセッサが、第１のユーザの行動を示す第１の行動情報を取得する行動情報取得機能と、上記第１の行動情報に基づいて生成され上記第１のユーザを表す第１のユーザオブジェクトを表示部に表示させる表示制御機能と、上記第１のユーザとは異なる第２のユーザが上記表示部を介して上記第１のユーザオブジェクトを観察した第１の時間における上記第１の行動情報に基づいて報奨オブジェクトを上記第２のユーザに関連付けて登録する報奨登録機能とを実現する情報処理装置が提供される。【選択図】図２
2014203597.tif 000002
【特許請求の範囲】
【請求項１】
プロセッサを備え、前記プロセッサが、
第１のユーザの行動を示す第１の行動情報を取得する行動情報取得機能と、
前記第１の行動情報に基づいて生成され前記第１のユーザを表す第１のユーザオブジェクトを表示部に表示させる表示制御機能と、
前記第１のユーザとは異なる第２のユーザが前記表示部を介して前記第１のユーザオブジェクトを観察した第１の時間における前記第１の行動情報に基づいて報奨オブジェクトを前記第２のユーザに関連付けて登録する報奨登録機能と
を実現する情報処理装置。
【請求項２】
前記行動情報取得機能は、複数のユーザを含む前記第１のユーザの行動を示す前記第１の行動情報を取得する、請求項１に記載の情報処理装置。
【請求項３】
前記報奨登録機能は、前記第１の行動情報によって、前記複数のユーザが前記第１の時間内に同じ所定の種類の行動を実行したことが示される場合に前記報奨オブジェクトを登録する、請求項２に記載の情報処理装置。
【請求項４】
前記報奨登録機能は、前記第１の行動情報によって、前記複数のユーザが前記第１の時間内に同時に同じ所定の種類の行動を実行したことが示される場合に前記報奨オブジェクトを登録する、請求項３に記載の情報処理装置。
【請求項５】
前記報奨登録機能は、前記第１の行動情報によって、前記複数のユーザが前記第１の時間内に順次同じ所定の種類の行動を実行したことが示される場合に前記報奨オブジェクトを登録する、請求項３に記載の情報処理装置。
【請求項６】
前記報奨登録機能は、前記第１の行動情報によって、前記複数のユーザが前記第１の時間内に互いに異なる所定の種類の行動を実行したことが示される場合に前記報奨オブジェクトを登録する、請求項２に記載の情報処理装置。
【請求項７】
前記報奨登録機能は、前記第１の行動情報によって、前記複数のユーザが前記第１の時間内に同時に互いに異なる所定の種類の行動を実行したことが示される場合に前記報奨オブジェクトを登録する、請求項６に記載の情報処理装置。
【請求項８】
前記報奨登録機能は、前記第１の行動情報によって、前記複数のユーザが前記第１の時間内に順次互いに異なる所定の種類の行動を実行したことが示される場合に前記報奨オブジェクトを登録する、請求項６に記載の情報処理装置。
【請求項９】
前記報奨登録機能は、前記第１の行動情報によって、前記複数のユーザが前記第１の時間内に複数の種類の行動を所定の順序で実行したことが示される場合に前記報奨オブジェクトを登録する、請求項２に記載の情報処理装置。
【請求項１０】
前記報奨登録機能は、前記第１の行動情報によって、前記複数のユーザが前記第１の時間内に所定の種類の行動を実行しなかったことが示される場合に前記報奨オブジェクトを登録する、請求項２に記載の情報処理装置。
【請求項１１】
前記報奨登録機能は、前記第１の行動情報によって、前記第１のユーザが前記第１の時間内に複数の種類の行動を所定の順序で実行したことが示される場合に前記報奨オブジェクトを登録する、請求項１に記載の情報処理装置。
【請求項１２】
前記行動情報取得機能は、前記第２のユーザの行動を示す第２の行動情報をさらに取得し、
前記第１のユーザと前記第２のユーザとは互いに離れた場所におり、
前記報奨登録機能は、前記第１の時間における前記第２の行動情報にさらに基づいて前記報奨オブジェクトを登録する、請求項１に記載の情報処理装置。
【請求項１３】
プロセッサが、
第１のユーザの行動を示す第１の行動情報を取得することと、
前記第１の行動情報に基づいて生成され前記第１のユーザを表す第１のユーザオブジェクトを表示部に表示させることと、
前記第１のユーザとは異なる第２のユーザが前記表示部を介して前記第１のユーザオブジェクトを観察した第１の時間における前記第１の行動情報に基づいて報奨オブジェクトを前記第２のユーザに関連付けて登録することと
を含む情報処理方法。
【請求項１４】
コンピュータに、
第１のユーザの行動を示す第１の行動情報を取得する行動情報取得機能と、
前記第１の行動情報に基づいて生成され前記第１のユーザを表す第１のユーザオブジェクトを表示部に表示させる表示制御機能と、
前記第１のユーザとは異なる第２のユーザが前記表示部を介して前記第１のユーザオブジェクトを観察した第１の時間における前記第１の行動情報に基づいて報奨オブジェクトを前記第２のユーザに関連付けて登録する報奨登録機能と
を実現させるためのプログラム。
【発明の詳細な説明】
【技術分野】
【０００１】
本開示は、情報処理装置、情報処理方法およびプログラムに関する。
【背景技術】
【０００２】
ソーシャルメディアの普及に伴い、ユーザ同士がネットワークを介して互いの行動を共有することが一般的になりつつある。例えば、特許文献１には、画面上に表示される仮想空間において他のユーザを示すオブジェクトのポーズに、歩いている、走っている、座っている、立っている、電話している、といったような各ユーザの実際の行動を反映させるとともに、オブジェクトの表示位置によってユーザと各ユーザとの親密度や、各ユーザの実際の位置、行動の特徴や嗜好を表現する技術が記載されている。
【先行技術文献】
【特許文献】
【０００３】
【特許文献１】特開２０１０−１３４８０２号公報
【発明の概要】
【発明が解決しようとする課題】
【０００４】
その一方で、ユーザが仮想空間にアクセスするためのインセンティブとして、ユーザの仮想空間で特定の行動をとった場合に報奨を与える仕組みも知られている。例えば、オンラインまたはオフラインで提供されるゲームでは、ユーザがゲーム内の仮想空間での行動によって所定のスコアを記録した場合や、特定の攻略手順を実行した場合などに、ゲーム内のアイテムなどをユーザに授与するシステムが組み込まれているものも多い。しかしながら、特許文献１に記載されたような技術に、このような報奨の仕組みを取り入れることは、まだ一般的ではない。【０００５】
そこで、本開示では、仮想空間に表示されるユーザオブジェクトを介してユーザが互いの行動情報を共有するにあたり、ユーザに効果的にインセンティブを与えることを可能にする、新規かつ改良された情報処理装置、情報処理方法およびプログラムを提案する。
【課題を解決するための手段】
【０００６】
本開示によれば、プロセッサを備え、上記プロセッサが、第１のユーザの行動を示す第１の行動情報を取得する行動情報取得機能と、上記第１の行動情報に基づいて生成され上記第１のユーザを表す第１のユーザオブジェクトを表示部に表示させる表示制御機能と、上記第１のユーザとは異なる第２のユーザが上記表示部を介して上記第１のユーザオブジェクトを観察した第１の時間における上記第１の行動情報に基づいて報奨オブジェクトを上記第２のユーザに関連付けて登録する報奨登録機能とを実現する情報処理装置が提供される。【０００７】
また、本開示によれば、プロセッサが、第１のユーザの行動を示す第１の行動情報を取得することと、上記第１の行動情報に基づいて生成され上記第１のユーザを表す第１のユーザオブジェクトを表示部に表示させることと、上記第１のユーザとは異なる第２のユーザが上記表示部を介して上記第１のユーザオブジェクトを観察した第１の時間における上記第１の行動情報に基づいて報奨オブジェクトを上記第２のユーザに関連付けて登録することとを含む情報処理方法が提供される。【０００８】
また、本開示によれば、コンピュータに、第１のユーザの行動を示す第１の行動情報を取得する行動情報取得機能と、上記第１の行動情報に基づいて生成され上記第１のユーザを表す第１のユーザオブジェクトを表示部に表示させる表示制御機能と、上記第１のユーザとは異なる第２のユーザが上記表示部を介して上記第１のユーザオブジェクトを観察した第１の時間における上記第１の行動情報に基づいて報奨オブジェクトを上記第２のユーザに関連付けて登録する報奨登録機能とを実現させるためのプログラムが提供される。
【発明の効果】
【０００９】
以上説明したように本開示によれば、仮想空間に表示されるユーザオブジェクトを介してユーザが互いの行動情報を共有するにあたり、ユーザに効果的にインセンティブを与えることができる。
【図面の簡単な説明】
【００１０】
【図１】本開示の一実施形態に係るシステムの概略的な構成を示す図である。
【図２】本開示の一実施形態に係るシステムの概略的な機能構成を示すブロック図である。
【図３】本開示の一実施形態におけるリスト表示画面の例を示す図である。
【図４】本開示の一実施形態における仮想空間表示画面の例を示す図である。
【図５】本開示の一実施形態におけるリスト表示画面と仮想空間表示画面との関係について説明するための図である。
【図６】本開示の一実施形態における投稿履歴画面の例を示す図である。
【図７】本開示の一実施形態における行動まとめ画面の例を示す図である。
【図８】本開示の一実施形態における報奨獲得通知画面の例を示す図である。
【図９】本開示の一実施形態における報奨一覧画面の例を示す図である。
【図１０】本開示の一実施形態における行動まとめ画面が報奨の表示を含む場合の例を示す図である。
【図１１】本開示の一実施形態における獲得済み報奨詳細画面の例を示す図である。
【図１２】本開示の一実施形態における未獲得報奨詳細画面の例を示す図である。
【図１３】本開示の一実施形態における報奨画像の具体的な例を示す図である。
【図１４】情報処理装置のハードウェア構成を説明するためのブロック図である。
【発明を実施するための形態】
【００１１】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１２】
なお、説明は以下の順序で行うものとする。
１．システム構成
２．機能構成
３．画面表示例
４．報奨の例
５．ハードウェア構成
６．補足
【００１３】
（１．システム構成）
図１は、本開示の一実施形態に係るシステムの概略的な構成を示す図である。図１を参照すると、本実施形態に係るシステム１０は、クライアント装置１００と、サーバ装置２００とを含む。単一のサーバ装置２００、または協働する複数のサーバ装置２００によってサーバ２０が構成され、サーバ２０は、ネットワークを介してクライアント装置１００と通信し、クライアント装置１００にサービスを提供する。クライアント装置１００およびサーバ装置２００は、いずれも、後述する情報処理装置のハードウェア構成によって実現されうる。
【００１４】
本実施形態において、クライアント装置１００には、複数のクライアント装置１００ａ，１００ｂ，１００ｃが含まれる。これらのクライアント装置１００は、いずれも異なるユーザによって所持および／または携帯されうる。後述するように、本実施形態では、例えばクライアント装置１００ｂを利用して認識されたユーザの行動（ユーザＢの行動とする）に基づいて生成されるオブジェクトが、他のクライアント装置１００ａ，１００ｃおよび／またはクライアント装置１００ｂで仮想空間に表示されうる。このオブジェクトは、ユーザＢを表示するオブジェクトでありうる。同様にして、クライアント装置１００ａ，１００ｃを利用して認識された各ユーザの行動（ユーザＡ、ユーザＣの行動とする）に基づいて生成されるオブジェクトも、クライアント装置１００ａ〜１００ｃのそれぞれにおいて仮想空間に表示されうる。
【００１５】
このようにして、本実施形態では、各クライアント装置１００において各ユーザの行動を示す情報に基づいて生成されるオブジェクトが配置されることによって、各ユーザが実際にいる場所にかかわらず、仮想空間において各ユーザの行動を共有することができる。
【００１６】
さらに、本実施形態では、ユーザがクライアント装置１００を利用した行動の共有に関して実行した操作、クライアント装置１００によって認識されたユーザの行動、またはクライアント装置１００においてオブジェクトとして表示されている他のユーザの行動などに基づいて、ユーザに対して報奨オブジェクト（ＢＡＤＧＥ）が与えられる。より具体的には、報奨オブジェクト（ＢＡＤＧＥ）は、システム１０によって提供されるサービスにおいて各ユーザに関連付けて登録され、クライアント装置１００において当該ユーザの所有物として報奨オブジェクト（ＢＡＤＧＥ）に対応する画像が表示されうる。
【００１７】
図示された例では、クライアント装置１００ａのユーザ（ユーザＡ）に対して、報奨オブジェクト（ＢＡＤＧＥ）が登録されている。ユーザＡ自身がクライアント装置１００ａにおいて報奨オブジェクト（ＢＡＤＧＥ）に対応する画像を閲覧することも可能であるし、他のクライアント装置１００ｂ，１００ｃのユーザ（ユーザＢ、ユーザＣ）が、ユーザＡに関する情報を参照したときに、ユーザＡに関連付けて登録されている報奨オブジェクト（ＢＡＤＧＥ）に対応する画像が、ユーザＡの所有物として表示されてもよい。
【００１８】
（２．機能構成）
図２は、本開示の一実施形態に係るシステムの概略的な機能構成を示すブロック図である。なお、以下では、図２を参照して、クライアント装置１００、およびサーバ２０のそれぞれの機能構成について説明するが、以下でプロセッサによって実現されると説明されている機能については、クライアント装置１００またはサーバ装置２００のどちらのプロセッサで実現されてもよい。
【００１９】
（クライアント装置）
クライアント装置１００は、加速度センサ１０１、行動認識部１０３、行動情報取得部１０５、表示制御部１０７、通信モジュール１０９、報奨登録部１１１、および報奨履歴キャッシュ部１１３を含みうる。なお、行動認識部１０３、行動情報取得部１０５、表示制御部１０７、および報奨登録部１１１は、ＣＰＵなどのプロセッサによって実現されうる。
【００２０】
加速度センサ１０１は、クライアント装置１００にかかる加速度を検出する。加速度によって、例えば、クライアント装置１００を携帯しているユーザの運動状態などを認識することができる。クライアント装置１００は、加速度センサ１０１以外にも、例えばジャイロセンサ、地磁気センサ、光センサ、音センサ、気圧センサなどの各種センサを有してもよい。これらのセンサによって、例えば、クライアント装置１００の姿勢や向き、周辺環境などを検出することができる。また、クライアント装置１００は、ユーザの位置情報を取得するためのＧＰＳセンサやＷｉ−Ｆｉ通信部などの測位手段を有してもよい。
【００２１】
行動認識部１０３は、加速度センサ１０１などのセンサの検出結果に基づいて、クライアント装置１００のユーザの行動を認識する。センサの検出結果に基づく行動認識の技術については、例えば特開２０１０−１９８５９５号公報、および特開２０１１−８１４３１号公報などに記載されている技術を利用することができるため、ここでは詳細な説明を省略する。行動認識部１０３の処理によって、例えば、ユーザが止まっている、歩いている、走っている、電車に乗っている、車に乗っているといったような行動が認識されうる。また、行動認識部１０３は、加速度センサ１０１などの検出結果と、ユーザの位置情報とに基づいて、ユーザが仕事をしているか、自宅にいるか、買い物をしているかといったようなより高度な行動を認識してもよい。
【００２２】
行動情報取得部１０５は、行動認識部１０３によって認識されたユーザの行動を示す行動情報を取得する。また、行動情報取得部１０５は、後述する通信モジュール１０９を介して、他のクライアント装置１００において認識された他のユーザの行動を示す行動情報を取得する。つまり、行動情報取得部１０５は、クライアント装置１００のユーザの行動情報に加えて、他のユーザの行動情報をも取得する。ここで、他のユーザの行動情報は、後述するサーバ２０の共有設定保持部２０１に保持された共有設定に従ってクライアント装置１００に提供されうる。
【００２３】
なお、他の実施形態では、クライアント装置１００が加速度センサ１０１および行動認識部１０３を有さず、行動情報取得部１０５が他のユーザの行動を示す行動情報だけを取得してもよい。
【００２４】
表示制御部１０７は、行動情報取得部１０５が取得した行動情報に基づいて、クライアント装置１００のユーザ、または他のクライアント装置１００のユーザ（他のユーザ）を示すユーザオブジェクトを生成して、クライアント装置１００のディスプレイに表示させる。後述する表示例のように、表示制御部１０７は、例えばユーザオブジェクトを含むリストを表示させてもよいし、ユーザオブジェクトが配置された仮想空間を表示させてもよい。また、表示制御部１０７は、例えばユーザを表すユーザオブジェクトと他のユーザを表すユーザオブジェクトとをそれぞれ表示させてもよいし、他のユーザを表すユーザオブジェクトだけを表示させてもよい。他のユーザを表すユーザオブジェクトは、１つだけ表示されてもよく、２つ以上表示されてもよい。
【００２５】
通信モジュール１０９は、プロセッサの制御に従って有線または無線のネットワーク通信を実行する各種の通信回路によって実現される。通信モジュール１０９は、例えば、行動認識部１０３によって認識されたユーザの行動を示す行動情報を、サーバ２０に向けて送信する。サーバ２０に送信された行動情報は、共有設定保持部２０１に保持された共有設定に従って、他のクライアント装置１００に提供されうる。ここで、サーバ２０に送信された行動情報は、サーバ２０において少なくとも一時的に保持されうる。この保持されている行動情報が共有設定に従って他のクライアント装置１００に提供されうる。また、保持されている行動情報に基づいて後述するランキング情報が生成されうる。また、通信モジュール１０９は、サーバ２０を介して提供される他のユーザの行動情報を受信して、行動情報取得部１０５に提供する。
【００２６】
報奨登録部１１１は、表示制御部１０７によってユーザオブジェクトとして表示されているユーザの行動情報に基づいて、クライアント装置１００のユーザについて報奨オブジェクトを登録する。報奨オブジェクトは、ユーザに対して報奨が与えられていることを示すオブジェクトである。この報奨オブジェクトが登録されていることを条件として、後述するサーバ２０の報奨画像保持部２０７に保持された報奨の画像がクライアント装置１００において表示されうる。報奨登録部１１１は、報奨オブジェクトを登録するにあたり、クライアント装置１００に与えられた操作入力や、表示制御部１０７によってユーザオブジェクトとして表示されているユーザの行動情報などによって所定の条件が満たされるか否かを判定する。なお、具体的な条件の例については後述する。
【００２７】
報奨履歴キャッシュ部１１３は、クライアント装置１００のメモリまたはストレージによって実現されうる。報奨履歴キャッシュ部１１３には、報奨登録部１１１によるユーザについての報奨オブジェクトの登録の履歴のキャッシュが保持されている。なお、履歴のマスタデータは、後述するサーバ２０の報奨履歴保持部２０９に保持されている。例えば、サーバ２０がクライアント装置１００へのサービスを開始したときに、報奨履歴キャッシュ部１１３に、クライアント装置１００のユーザについて報奨履歴保持部２０９に保持されている履歴がコピーされうる。また、報奨登録部１１１によって新たに報奨オブジェクトが登録された場合、通信モジュール１０９を介して報奨履歴保持部２０９に保持された履歴が更新されるとともに、報奨履歴キャッシュ部１１３に保持されているキャッシュも更新されうる。
【００２８】
ここで、報奨履歴キャッシュ部１１３は、例えば、報奨登録部１１１が報奨オブジェクトを登録するか否かの判定をするときにも利用されうる。例えば報奨登録部１１１は、クライアント装置１００に与えられた操作入力や、表示制御部１０７によってユーザオブジェクトとして表示されているユーザの行動情報などによって所定の条件が満たされたと判定された場合に、当該条件によって登録されうる報奨オブジェクトがクライアント装置１００のユーザについて既に登録されているか否かを、報奨履歴キャッシュ部１１３を参照して判定してもよい。
【００２９】
以上で説明したような機能構成を含みうるクライアント装置１００は、例えばスマートフォン、タブレット端末、メディアプレーヤ、またはゲーム機など、ユーザによって携帯される各種の端末装置でありうる。また、例えばクライアント装置１００が加速度センサ１０１および行動認識部１０３を有さず、行動情報取得部１０５が他のユーザの行動を示す行動情報だけを取得するような場合、クライアント装置１００は、各種のＰＣ（Personal  Computer）、またはテレビなど、据え置き型の端末装置であってもよい。
【００３０】
（サーバ）
引き続き図２を参照すると、サーバ２０は、共有設定保持部２０１、サーバＡＰＩ（Application  Programming  Interface）２０３、ｈｔｔｐ（hypertext  transfer  protocol）サーバ２０５、報奨画像保持部２０７、報奨履歴保持部２０９、ランキング情報保持部２１１、およびランキング情報更新部２１３を含みうる。なお、サーバＡＰＩ２０３、およびランキング情報更新部２１３は、ＣＰＵなどのプロセッサによって実現されうる。また、報奨画像保持部２０７、報奨履歴保持部２０９、およびランキング情報保持部２１１は、サーバ装置２００のメモリまたはストレージによって実現されうる。
【００３１】
共有設定保持部２０１は、複数のクライアント装置１００のユーザ間における行動の共有設定を保持する。共有設定は、例えば、あるクライアント装置１００のユーザが、他のクライアント装置１００のユーザを、行動情報の共有相手として登録した場合に生成されうる。例えば、クライアント装置１００ａのユーザ（ユーザＡ）とクライアント装置１００ｂのユーザ（ユーザＢ）との間で行動の共有設定が生成された場合、ユーザＡは、クライアント装置１００ａのディスプレイを介してユーザＢの行動情報に基づいて生成されたユーザオブジェクトを観察することができる。
【００３２】
ここで、共有設定は、例えばユーザＢもクライアント装置１００ｂのディスプレイを介してユーザＡの行動情報に基づいて生成されたユーザオブジェクトを観察できるような双方向性のものであってもよいし、ユーザＢはユーザＡのユーザオブジェクトを観察できない単方向性のものであってもよい。また、共有設定は、例えば上記のようにシステム１０によって提供されるサービス内での操作によって生成されてもよいし、他のサービスからインポートされてもよい。より具体的には、例えば、共有設定は、ソーシャルメディアの友人設定やグループ設定などに基づいて自動的に生成されてもよい。
【００３３】
サーバＡＰＩ２０３は、共有設定保持部２０１をはじめとするサーバ２０各機能に、クライアント装置１００がｈｔｔｐサーバ２０５を介してアクセスするために提供されるインターフェースである。ｈｔｔｐサーバ２０５は、クライアント装置１００との通信を、ｈｔｔｐに従って実行する。例えば、サーバ２０を構成するサーバ装置２００の中の１つが専用でｈｔｔｐサーバ２０５として機能してもよいし、他の機能も実現するサーバ装置２００の１つの機能としてｈｔｔｐサーバ２０５の機能が提供されてもよい。ｈｔｔｐによる通信は、暗号化されていてもよい。なお、サーバＡＰＩ２０３およびｈｔｔｐサーバ２０５の詳細な構成については、既によく知られているためここでは説明を省略する。
【００３４】
報奨画像保持部２０７は、クライアント装置１００の報奨登録部１１１によって登録される報奨オブジェクトに対応する画像（以下、報奨画像ともいう）を保持する。本実施形態では、システム１０によって提供されるサービスにおいて提供される報奨オブジェクトの種類が予め決まっており、報奨画像保持部２０７はそれらの報奨オブジェクトにそれぞれ対応する画像を保持する。報奨画像保持部２０７は、クライアント装置１００から要求があった場合に、報奨画像のデータをサーバＡＰＩ２０３およびｈｔｔｐサーバ２０５を介してクライアント装置１００に提供する。このとき、後述する報奨履歴保持部２０９に保持されている履歴が参照され、各ユーザについて提供可能な報奨画像が選択されうる。
【００３５】
報奨履歴保持部２０９には、クライアント装置１００の報奨履歴キャッシュ部１１３と同様に、報奨登録部１１１によるユーザについての報奨オブジェクトの登録の履歴が保持されている。上述の通り、報奨履歴保持部２０９に保持されているデータは、報奨履歴キャッシュ部１１３に保持されているデータのマスタデータにあたる。従って、例えば報奨履歴キャッシュ部１１３に履歴のデータがない場合（例えば共有設定保持部２０１に新たな共有設定が追加された場合など）には、報奨履歴保持部２０９に保持されているデータが報奨履歴キャッシュ部１１３にコピーされる。また、報奨登録部１１１によって新たな報奨オブジェクトが登録された場合などに、報奨履歴キャッシュ部１１３のデータが更新されると、同様の更新を報奨履歴保持部２０９でも実行するためのデータがクライアント装置１００からサーバ２０にアップロードされる。
【００３６】
ランキング情報保持部２１１には、各ユーザの行動に基づくランキング情報が保持される。ランキング情報更新部２１３は、クライアント装置１００からｈｔｔｐサーバ２０５およびサーバＡＰＩ２０３を介して提供され、サーバ装置２００に一時的に保持された各ユーザの行動情報に基づいて、ランキング情報保持部２１１に保持されているランキング情報を更新する。ランキング情報更新部２１３は、例えば、所定の時間（例えば１時間）ごとに自動的に起動され、ランキング情報の更新を実行してもよい。ランキング情報は、各ユーザの行動情報を統計処理することによって抽出されるランキングの情報である。ランキングは、例えば共有設定保持部２０１に保持されている共有設定に関わらず、システム１０によって提供されるサービスを利用している全ユーザについて抽出されてもよい。あるいは、ランキングは、共有設定保持部２０１に保持されている共有設定に基づいて、互いに行動を共有しているユーザ間や、ユーザが設定したグループの中で抽出されてもよい。ランキング情報保持部２１１に保持されているランキング情報は、クライアント装置１００から要求があった場合に、サーバＡＰＩ２０３およびｈｔｔｐサーバ２０５を介してクライアント装置１００に提供されうる。
【００３７】
ここで、ランキング情報保持部２１１に保持され、ランキング情報更新部２１３によって更新されるランキング情報もまた、クライアント装置１００のユーザについて報奨オブジェクトが登録されるための条件になりうる。従って、例えば、ランキング情報更新部２１３は、ランキング情報の更新結果をサーバＡＰＩ２０３およびｈｔｔｐサーバ２０５を介してクライアント装置１００に提供し、クライアント装置１００の報奨登録部１１１が、ランキング情報の更新結果に基づいて各ユーザについて報奨オブジェクトを登録してもよい。例えば、ランキング情報更新部２１３は、更新後のランキングで上位に入賞したユーザ、または所定の順位（１００位、３００位、など）のユーザのクライアント装置１００に、ランキング情報の更新結果を提供しうる。なお、ランキングの具体的な例については後述する。
【００３８】
（３．画面表示例）
続いて、本開示の一実施形態における画面表示例について説明する。理解を容易にするために、最初に図３〜図７を参照して報奨オブジェクトが実装されていない画面表示例について説明し、それから図８〜図１３を参照して報奨オブジェクトが実装された画面表示例について説明する。
（３−１．リスト表示画面）
図３は、本開示の一実施形態におけるリスト表示画面の例を示す図である。図３を参照すると、クライアント装置１００のディスプレイに表示されるリスト表示画面１１００には、ユーザ情報１１０１、行動ステータス１１０３、およびユーザオブジェクト１１０５を含むリストと、行動情報利用設定ボタン１１０７と、投稿ボタン１１０９とが含まれる。
【００３９】
ユーザ情報１１０１は、例えば図示されているようにサムネイル画像、ユーザ名、およびユーザＩＤを含む。これらのうちのいずれかがユーザ情報１１０１として表示されてもよいし、これらに加えて他の情報がユーザ情報１１０１として表示されてもよい。ユーザ情報１１０１は、例えばサーバ２０のデータベースに登録されたユーザのアカウント情報に基づいて表示されうる。
【００４０】
行動ステータス１１０３は、上述したクライアント装置１００の行動認識部１０３によって認識された各ユーザの行動を、テキストとして表現する。図示された例の行動ステータス１１０３によって示されているように、本実施形態では、例えば、立っている、走っている、歩いている、座っている、といったようなユーザの動きや、電車に乗っている、自動車に乗っている、といったような乗り物への搭乗、座って端末を見ている、端末を放置しているといった端末に関係した動作などが、ユーザの行動として認識されうる。なお、本開示の実施形態で認識可能な行動はこれらの例には限られず、例えば特開２０１０−１９８５９５号公報や特開２０１１−８１４３１号公報などで紹介されているような、多種多様な行動を認識することが可能でありうる。
【００４１】
ユーザオブジェクト１１０５は、上記の行動認識部１０３によって認識された各ユーザの行動を、そのポーズ（形状）または動きによって表現する。つまり、ユーザオブジェクト１１０５は、ユーザの行動を示す行動情報に基づいて生成され、表示部に表示されて当該ユーザを表す。図示された例によって示されているように、ユーザオブジェクト１１０５は、例えば人型であり、ユーザの行動（例えば立っている、走っている、など）に対応したポーズをとることによって、ユーザの行動を表現してもよい。あるいは、ユーザが乗り物に搭乗している場合、ユーザオブジェクト１１０５はその乗り物の形状で表示されてもよい。また、ユーザが端末を放置していたり、ユーザの行動が識別されない場合（不明）、ユーザオブジェクト１１０５は人や乗り物の形ではなく、正体不明の物体の形や、放置された端末装置の形であってもよい。
【００４２】
行動情報利用設定ボタン１１０７は、クライアント装置１００のユーザが、行動認識部１０３による行動認識のオン／オフ、および認識によって取得された行動情報を公開するか否かを設定するためのボタンである。図示された例の状態では「常に公開」となっているが、他に「オフ」（行動認識を利用しない）、「非公開」（行動認識は利用するが、共有設定がされたユーザを含めてだれにも公開しない）などの選択肢がありうる。また、行動情報を公開する場合も、例えば「毎日７：００〜２１：００」や、「月〜金の２４時間」、「土日の２４時間」など、時間帯や曜日を限定した公開の設定が可能であってもよい。
【００４３】
投稿ボタン１１０９は、クライアント装置１００のユーザがメッセージを投稿する機能を起動するためのボタンである。ユーザが投稿したメッセージは、後述する投稿履歴画面で表示される。
【００４４】
以上で説明したようなリスト表示画面１１００によって、クライアント装置１００のユーザは、多くのユーザの行動ステータス１１０３やユーザオブジェクト１１０５を一覧することができる。リスト表示画面１１００では、例えば、行動ステータス１１０３やユーザオブジェクト１１０５、またはこれらを含むリストの行を選択することによって、各ユーザの個別情報画面が表示されてもよい。
【００４５】
（３−２．仮想空間表示画面）
図４は、本開示の一実施形態における仮想空間表示画面の例を示す図である。図４を参照すると、クライアント装置１００のディスプレイに表示される仮想空間表示画面１２００には、ユーザオブジェクト１２０１、ユーザ情報１２０３、乗り物オブジェクト１２０５、および仮想空間１２０７が含まれる。さらに、仮想空間表示画面１２００には、行動情報利用設定ボタン１１０７および投稿ボタン１１０９も表示される。
【００４６】
なお、図４に示す仮想空間表示画面１２００は、図３に示したリスト表示画面１１００とは異なる時点での各ユーザの行動情報に基づいて表示されている。従って、図３に示す例における各ユーザの行動状態と、図４に示す各ユーザの行動状態とは必ずしも一致しない。
【００４７】
ユーザオブジェクト１２０１は、リスト表示画面１１００に表示されたものと同様のオブジェクトである。つまり、ユーザオブジェクト１２０１は、各ユーザの行動を示す行動情報に基づいて生成され、表示部に表示されて当該ユーザを表す。仮想空間表示画面１２００では、主にユーザオブジェクト１２０１によって各ユーザの行動が表示される。ここで、それぞれのユーザオブジェクト１２０１は、そのポーズ（形状）または動きに合った仮想空間１２０７内の位置に配置されうる。例えば、座っているユーザオブジェクト１２０１はベンチの付近に配置され、立っているユーザオブジェクト１２０１は路傍に配置される。また、リスト表示画面１１００では各種の乗り物の形状であったユーザオブジェクト１２０１は、人型になって後述する乗り物オブジェクトの中に配置されてもよい。また、正体不明の物体の形や放置された端末の形のユーザオブジェクト１２０１は、空に浮かんで表示されてもよい。
【００４８】
ユーザ情報１２０３は、例えば図示されているようにユーザＩＤを含む。ユーザ情報として、この他に、またはこれに代えてユーザ名やサムネイル画像などが表示されてもよいが、本実施形態における仮想空間表示画面１２００では、仮想空間１２０７や他のユーザオブジェクト１２０１の表示の邪魔にならないように、ユーザＩＤだけがユーザ情報１２０３として表示されている。
【００４９】
乗り物オブジェクト１２０５は、仮想空間１２０７に配置され、行動情報によって乗り物に乗っていることが示されるユーザのユーザオブジェクト１２０１を収容する。図示された例では、電車の乗り物オブジェクト１２０５と、自動車の乗り物オブジェクト１２０５とが仮想空間１２０７に配置されている。他にも、例えばバス、自転車、飛行機、エレベータなどの乗り物オブジェクト１２０５が表示されてもよい。乗り物オブジェクト１２０５は、仮想空間１２０７内のそれぞれの乗り物に応じた位置に配置されうる。例えば、バスや自動車、自転車などの乗り物オブジェクト１２０５は道路に配置され、電車の乗り物オブジェクト１２０５は線路上に配置され、エレベータの乗り物オブジェクト１２０５は建物の中に配置されうる。
【００５０】
仮想空間１２０７は、上記のユーザオブジェクト１２０１や乗り物オブジェクト１２０５などが配置される空間である。仮想空間１２０７は、例えば、予め用意されたいくつかのテーマの中からクライアント装置１００のユーザが選択したテーマに基づいて構成されてもよい。また、仮想空間１２０７は、例えばさまざまなポーズ（形状）や動きのユーザオブジェクト１２０１や、さまざまな乗り物オブジェクト１２０５が配置されるための要素を含んでいてもよい。例えば、図示された例では、仮想空間１２０７に、座っているユーザオブジェクト１２０１が配置されるためのベンチや、車の乗り物オブジェクト１２０５が配置されるための道路などの要素が含まれる。
【００５１】
図示されているように、仮想空間表示画面１２００にも、上記のリスト表示画面１１００と同様の行動情報利用設定ボタン１１０７と投稿ボタン１１０９とが表示されうる。さらに、図示していないが、仮想空間表示画面１２００には、ユーザオブジェクト１２０１やユーザ情報１２０３、乗り物オブジェクト１２０５を含む仮想空間１２０７のスナップショットを取得して、それを添付画像としてユーザがメッセージを投稿するための別の投稿ボタンが表示されてもよい。
【００５２】
以上で説明したような仮想空間表示画面１２００によって、クライアント装置１００のユーザは、各ユーザのユーザオブジェクト１２０１を同じ仮想空間１２０７の中に配置して観察することができ、他のユーザに対して、例えば、あたかも同じ町で生活しているかのような親近感を得られる。仮想空間表示画面１２００では、例えば、ユーザオブジェクト１２０１やユーザ情報１２０３を選択することによって、各ユーザの個別情報画面が表示されてもよい。
【００５３】
図５は、本開示の一実施形態におけるリスト表示画面と仮想空間表示画面との関係について説明するための図である。図５に示されるように、本実施形態において、ユーザは、リスト表示画面１１００に表示されたユーザオブジェクト１１０５を、いわゆるドラッグ＆ドロップの操作によって仮想空間表示画面１２００に移動させることによって、仮想空間表示画面１２００にそのユーザのユーザオブジェクト１２０１を追加することができる。なお、図では、ドラッグ中のユーザオブジェクト１１５０が表示されている。このように、リスト表示画面１１００から仮想空間表示画面１２００までドラッグされている間、ユーザオブジェクト１１５０は、ユーザオブジェクト１１０５やユーザオブジェクト１２０１とは異なるポーズ（形状）または動きで表示されてもよい。
【００５４】
図示された例によって示されているように、本実施形態では、リスト表示１１００で行動ステータス１１０３やユーザオブジェクト１１０５が表示されているユーザのうち、一部のユーザだけが、仮想空間表示画面１２００においてユーザオブジェクト１２０１としても表示される。例えば仮想空間表示画面１２００においてユーザオブジェクト１２０１が互いに干渉したり、仮想空間１２０７が見づらくなったりしないように、仮想空間表示画面１２００に追加可能なユーザオブジェクト１２０１の数に上限が設定されてもよい。なお、他の実施形態では、リスト表示１１００で行動ステータス１１０３やユーザオブジェクト１１０５が表示されたユーザのすべてを、仮想空間表示画面１２００でもユーザオブジェクト１２０１として表示させることが可能であってもよい。
【００５５】
（３−２．個別情報画面）
図６は、本開示の一実施形態における投稿履歴画面の例を示す図である。図６を参照すると、クライアント装置１００のディスプレイに表示される投稿履歴画面１３００には、ユーザ情報１３０１、行動ステータス１３０３、ユーザオブジェクト１３０５、投稿メッセージ１３０７、行動アイコン１３０９、まとめボタン１３１１、および投稿履歴ボタン１３１３が含まれる。
【００５６】
投稿履歴画面１３００は、本実施形態における個別情報画面の１つである。投稿履歴画面１３００は、例えば、リスト表示画面１１００で行動ステータス１１０３やユーザオブジェクト１１０５、またはこれらを含むリストの行を選択することによって表示されうる。また、投稿履歴画面１３００は、仮想空間表示画面１２００でユーザオブジェクト１２０１やユーザ情報１２０３を選択することによって表示されてもよい。
【００５７】
ユーザ情報１３０１は、上記で図３を参照して説明したリスト表示画面１１００のユーザ情報１１０１と同様でありうる。ただし、投稿履歴画面１３００は各ユーザの個別情報画面であるため、ユーザ情報１３０１は１人のユーザについて表示される。
【００５８】
行動ステータス１３０３およびユーザオブジェクト１３０５も、リスト表示画面１１００の行動ステータス１１０３とユーザオブジェクト１１０５と同様でありうる。ただし、投稿履歴画面１３００は各ユーザの個別情報画面であるため、行動ステータス１３０３およびユーザオブジェクト１３０５は１人のユーザについて表示される。
【００５９】
投稿メッセージ１３０７は、投稿履歴画面１３００の表示対象になっているユーザが過去に投稿したメッセージである。投稿メッセージ１３０７は、例えば時系列で配列され、ユーザが表示をスクロールさせることによって順次表示される。
【００６０】
行動アイコン１３０９は、投稿メッセージ１３０７が投稿された時刻に最も近い時刻で認識されたユーザの行動を示すアイコンである。行動アイコン１３０９は、例えば、投稿メッセージ１３０７が投稿されたときに表示されていた（であろう）ユーザオブジェクト１１０５と同じものであってもよいし、その後のさらなる処理によって確定されたユーザの行動を示すアイコンであってもよい。この場合、行動アイコン１３０９は、投稿メッセージ１３０７が投稿されたときのユーザオブジェクト１１０５とは異なる行動を示しうる。
【００６１】
まとめボタン１３１１は、後述する行動まとめ画面１４００に表示を切り替えるためのボタンである。本実施形態では、ユーザの個別情報画面として投稿履歴画面１３００と行動まとめ画面１４００とが表示されるが、まとめボタン１３１１と投稿履歴ボタン１３１３とを用いて、これらの画面を相互に切り替えることができる。従って、投稿履歴画面１３００では、投稿履歴ボタン１３１３が選択された状態で表示されている。
【００６２】
以上で説明したような投稿履歴画面１３００によって、クライアント装置１００のユーザは、各ユーザの行動を、そのユーザが投稿したメッセージとともに参照することができる。
【００６３】
図７は、本開示の一実施形態における行動まとめ画面の例を示す図である。図７を参照すると、クライアント装置１００のディスプレイに表示される行動まとめ画面１４００には、ユーザ情報１３０１、行動ステータス１３０３、ユーザオブジェクト１３０５、行動アイコン１３０９、まとめボタン１３１１、および投稿履歴ボタン１３１３という投稿履歴画面１３００と同様の要素に加えて、ランキング１４０１、まとめグラフ１４０３、およびエクササイズグラフ１４０５が表示される。
【００６４】
行動まとめ画面１４００は、本実施形態における投稿履歴画面１３００とは別の個別情報画面である。行動まとめ画面１４００も、投稿履歴画面１３００と同様に、例えば、リスト表示画面１１００で行動ステータス１１０３やユーザオブジェクト１１０５、またはこれらを含むリストの行を選択することによって表示されうる。また、行動まとめ画面１４００は、仮想空間表示画面１２００でユーザオブジェクト１２０１やユーザ情報１２０３を選択することによって表示されてもよい。上述の通り、投稿履歴画面１３００と、行動まとめ画面１４００とは、まとめボタン１３１１と投稿履歴ボタン１３１３とを用いて相互に切り替えて表示させることが可能である。
【００６５】
ランキング１４０１は、例えばサーバ２０のランキング情報保持部２１１に保持されているランキング情報に基づいて表示される。ランキングは、例えば図示されている例の「２４時間での歩数」、「２４時間での徒歩時間」、および「２４時間での電車の乗車時間」のように、ユーザの行動情報を統計処理することによって抽出される項目を含みうる。ランキング１４０１の更新間隔は自由に設定されうる。更新間隔は、必ずしもランキング項目のサンプル幅（上記の例では２４時間）に関係がなくてもよい。例えば上記の例では、ランキング１４０１が１日（２４時間）単位で更新されてもよく、また１時間単位で更新されてもよい。例えば１０：００にランキング１４０１が更新される場合、「２４時間」は前日の１０：００から当日の１０：００までを意味しうる。
【００６６】
まとめグラフ１４０３は、ユーザの１日の行動をまとめたグラフである。図示された例では、ある１日（図示された例では２０１３年３月４日）において認識されたユーザの行動の種類がグラフとして表示されている。エクササイズグラフ１４０５は、ユーザの１日の行動情報から推定される運動の状態を示すグラフである。図では途中で切れているが、例えばユーザが歩いた時間や走った時間を１時間ごとにグラフ化したものが、エクササイズグラフ１４０５として表示される。このように、ユーザの行動を所定の時間間隔でまとめて表現する情報は、図示された例のまとめグラフ１４０３やエクササイズグラフ１４０５には限られず、他にもどのような形のグラフであってもよい。また、ユーザの行動をまとめるための時間間隔も、１日には限られず、１週間や１カ月などより長い時間でもよく、また１２時間、６時間などより短い時間であってもよい。
【００６７】
行動アイコン１３０９は、投稿履歴画面１３００に表示されるものと同様にユーザの行動を示すアイコンである。ただし、行動まとめ画面１４００では、まとめグラフ１４０３やエクササイズグラフ１４０５といった、ユーザの行動をまとめて表現する情報の対象になっている時間（図示された例であれば２０１３年３月４日）に認識されたユーザの行動を示すアイコンが行動アイコン１３０９として表示されうる。
【００６８】
以上で説明したような行動まとめ画面１４００によって、クライアント装置１００のユーザは、各ユーザの行動を所定の時間でまとめて表現した情報を参照することができる。
【００６９】
（３−３．報奨獲得通知画面）
図８は、本開示の一実施形態における報奨獲得通知画面の例を示す図である。図８を参照すると、クライアント装置１００のディスプレイに表示される報奨獲得通知画面１５００には、報奨タイトル１５０１、報奨画像１５０３、報奨説明１５０５、アプリケーション起動ボタン１５０７、およびＯＫボタン１５０９が含まれる。
【００７０】
報奨獲得通知画面１５００は、クライアント装置１００のユーザについて報奨オブジェクトが登録されたときに、クライアント装置１００のディスプレイに表示される。例えば、報奨獲得通知画面は、図示された例のようにポップアップウインドウとして表示されてもよい。図では背景がリスト表示画面１１００であるが、他の画面であってもよい。また、クライアント装置１００では、バックグラウンドで行動認識部１０３や報奨登録部１１１の処理を実行することも可能であるため、本実施形態とは関係のないアプリケーションの画面やデスクトップ画面などを背景にして報奨獲得通知画面が表示されてもよい。
【００７１】
報奨タイトル１５０１は、ユーザについて新たに登録された報奨オブジェクトのタイトルを表示する。報奨タイトル１５０１は、必ずしも報奨オブジェクトの実際のＩＤとは一致しない。なお、報奨タイトル１５０１の具体的な例については後述する。
【００７２】
報奨画像１５０３は、ユーザについて新たに登録された報奨オブジェクトに対応する画像（報奨画像）である。上述のように、報奨画像はサーバ２０の報奨画像保持部２０７において保持され、報奨オブジェクトを新たに登録した報奨登録部１１１からの要求に応じてクライアント装置１００に提供されうる。
【００７３】
報奨説明１５０５は、ユーザについて新たに登録された報奨オブジェクトについての説明を表示する。報奨説明１５０５は、例えば、図示された「行動認識をオンにした」という報奨タイトル１５０１の報奨オブジェクトの場合であれば、行動認識の結果の活用方法や、個別情報画面の存在などについてアドバイスするテキストが報奨説明１５０５として表示されうる。
【００７４】
アプリケーション起動ボタン１５０７は、本実施形態において提供されるサービスに係るアプリケーション（上記で説明したリスト表示画面１１００以下の画面を表示させるためのアプリケーション）を起動するためのボタンである。図示された例では既にこのアプリケーションが起動されてリスト表示画面１１００が表示されているが、上記のようにバックグラウンドで実行された行動認識部１０３や報奨登録部１１１の処理によって報奨オブジェクトが登録された場合には、アプリケーション起動ボタン１５０７を選択することによって新たにアプリケーションを起動し、後述する報奨履歴画面などを参照することができる。ＯＫボタン１５０９が選択された場合、そのまま報奨獲得通知画面１５００が閉じられる。
【００７５】
（３−４．報奨一覧画面）
図９は、本開示の一実施形態における報奨一覧画面の例を示す図である。図９を参照すると、クライアント装置１００のディスプレイに表示される報奨一覧画面１６００には、報奨タイトル１６０１、報奨画像１６０３、報奨説明１６０５、および報奨獲得日１６０７が含まれる。
【００７６】
報奨一覧画面１６００は、例えば本実施形態において提供されるサービスに係るアプリケーションの機能メニュー（図示せず）から「報奨一覧」などの項目を選択することによって表示されうる。本実施形態おいて、報奨一覧画面１６００には、ユーザについて登録されたすべての報奨オブジェクトが一覧表示される。報奨一覧画面１６００は、例えば、クライアント装置１００の表示制御部１０７からサーバ２０に対して報奨一覧表示の要求が送信され、この要求に応じて、報奨履歴保持部２０９に保持されているユーザの報奨履歴に基づいて報奨画像保持部２０７に保持される報奨画像が選択的に提供されることによって表示されうる。
【００７７】
報奨タイトル１６０１は、各報奨オブジェクトのタイトルを表示する。報奨タイトル１６０１として表示されるタイトルは、例えば報奨獲得通知画面１５００の報奨タイトル１５０１として表示されるタイトルと同様でありうる。
【００７８】
報奨画像１６０３は、各報奨オブジェクトに対応する画像（報奨画像）である。報奨画像１６０３として表示される画像は、例えば報奨獲得通知画面１５００で報奨画像１５０３として表示される画像と同様でありうる。ただし、後述するように報奨画像には、新たに獲得されたものに表示される「ＮＥＷ」のアイコンや、複数獲得されうるものの獲得数を表す回数のアイコンが含まれうるため、そのようなアイコンの有無については、報奨獲得通知画面１５００に表示される報奨画像と報奨一覧画面１６００に表示される報奨画像とは異なりうる。
【００７９】
報奨説明１６０５は、各報奨オブジェクトについての説明を表示する。報奨説明１６０５として表示されるテキストは、例えば報奨獲得通知画面１５００の報奨説明１５０５として表示されるテキストと同様でありうる。
【００８０】
報奨獲得日１６０７は、各報奨オブジェクトが登録された日を表示する。複数獲得されうる報奨オブジェクトの場合、最後に当該報奨オブジェクトが登録された日（つまり、最新の獲得日）が報奨獲得日１６０７として表示されてもよい。
【００８１】
（３−４．個別情報画面における報奨の表示）
図１０は、本開示の一実施形態における行動まとめ画面が報奨の表示を含む場合の例を示す図である。図１０を参照すると、クライアント装置１００のディスプレイに表示される行動まとめ画面１７００には、図７を参照して説明した行動まとめ画面１４００に表示されるものと同様の表示要素に加えて、報奨画像一覧１７０１が表示される。報奨画像一覧１７０１は、獲得済み報奨画像１７０３と、未獲得報奨画像１７０５とを含む。
【００８２】
本実施形態において、報奨オブジェクトが実装される場合、例えば行動まとめ画面１７００のような個別情報画面において、各ユーザが獲得している報奨オブジェクトの状態を参照することが可能である。なお、図示していないが、投稿履歴画面１３００でも、同様に報奨オブジェクトの状態が参照可能であってもよい。
【００８３】
報奨画像一覧１７０１は、例えば、ランキング１４０１とまとめグラフ１４０３などとの間に表示される。報奨画像一覧１７０１では、獲得済み報奨画像１７０３と未獲得報奨画像１７０５とが、例えば画面の横方向に配列されている。より具体的には、報奨画像一覧１７０１では、対象のユーザが獲得しているか否かにかかわりなく、サービスにおいて用意された報奨画像が所定の順序で表示され、ユーザが獲得しているものは獲得済み報奨画像１７０３として、獲得していないものは未獲得報奨画像１７０５として表示される。
【００８４】
このような表示によって、報奨画像一覧１７０１を参照するユーザは、ユーザがどの報奨を獲得しているかという情報に加えて、全体の中でどれだけの報奨を獲得したかを知ることができる。このような表示は、他のユーザにとってだけでなく、表示対象のユーザ自身にとっても、報奨に関しての自らの達成度合いを知ることができるために有用でありうる。なお、他の実施形態では、報奨画像一覧１７０１として獲得済み報奨画像１７０３だけが表示され、未獲得報奨画像１７０５は表示されなくてもよい。
【００８５】
獲得済み報奨画像１７０３は、例えば報奨獲得通知画面１５００の報奨画像１５０３や報奨一覧画面１６００の報奨画像１６０３として表示される画像と同様でありうる。ただし、本実施形態では、獲得済み報奨画像１７０３のサイズが小さいため、上記の各報奨画像に比べて簡略化された画像が獲得済み報奨画像１７０３として表示されうる。
【００８６】
未獲得報奨画像１７０５は、具体的な例えば報奨獲得通知画面１５００の報奨画像１５０３や報奨一覧画面１６００の報奨画像１６０３として表示される画像とは異なる画像である。未獲得報奨画像１７０５として表示される報奨オブジェクトはまだユーザについて登録されていないため、詳細を明らかにせずに存在だけを表示する目的で未獲得報奨画像１７０５が表示されうる。従って、未獲得報奨画像１７０５は、例えば図示された例のように報奨画像の外形だけを示す画像でありうる。
【００８７】
図１１は、本開示の一実施形態における獲得済み報奨詳細画面の例を示す図である。図１１を参照すると、クライアント装置１００のディスプレイに表示される獲得済み報奨詳細画面１８００には、報奨タイトル１８０１、報奨画像１８０３、報奨説明１８０５、および報奨獲得日１８０７が含まれる。
【００８８】
獲得済み報奨詳細画面１８００は、例えば上記の行動まとめ画面１７００において、報奨画像一覧１７０１に含まれる獲得済み報奨画像１７０３が選択されたときに、クライアント装置１００のディスプレイに表示される。例えば、獲得済み報奨詳細画面１８００は、図示された例のようにポップアップウインドウとして表示されてもよい。
【００８９】
なお、獲得済み報奨詳細画面１８００において表示される報奨タイトル１８０１、報奨画像１８０３、報奨説明１８０５、および報奨獲得日１８０７は、例えば上記の報奨一覧画面１６００において表示される報奨タイトル１６０１、報奨画像１６０３、報奨説明１６０５、および報奨獲得日１６０７と同様でありうるため、詳細な説明は省略する。
【００９０】
図１２は、本開示の一実施形態における未獲得報奨詳細画面の例を示す図である。図１２を参照すると、クライアント装置１００のディスプレイに表示される未獲得報奨詳細画面１９００には、報奨タイトル１９０１および報奨画像１９０３が含まれる。
【００９１】
未獲得報奨詳細画面１９００は、例えば上記の行動まとめ画面１７００において、報奨画像一覧１７０１に含まれる未獲得報奨画像１７０５が選択されたときに、クライアント装置１００のディスプレイに表示される。例えば、未獲得報奨詳細画面１９００は、図示された例のようにポップアップウインドウとして表示されてもよい。
【００９２】
上記の通り、未獲得報奨画像１７０５は、報奨オブジェクトの詳細を明らかにせずに存在だけを表示する目的で表示される。従って、未獲得報奨詳細画面１９００でも同様に、報奨タイトル１９０１としては「未取得」などのように内容を明らかにしないテキストが表示され、報奨画像１９０３としては未獲得報奨画像１７０５と同様に報奨画像の外形だけを示す画像が表示されうる。
【００９３】
（３−５．報奨画像）
図１３は、本開示の一実施形態における報奨画像の具体的な例を示す図である。図１３を参照すると、報奨画像２０００には、図柄２００１、回数アイコン２００３、およびＮＥＷアイコン２００５が含まれる。
【００９４】
図柄２００１は、報奨オブジェクトの内容に対応する。例えば、「初めて歩いた（初めて行動「歩く」が認識された）」の報奨オブジェクトの場合、歩いている人型の図柄２００１が採用されうる。また、ランキングに入ったことに対応する報奨オブジェクトの場合、図示された例のように、王冠形の台座の中にランキングの項目（例えば歩数）に関連するポーズの人型が配置された図柄２００１が採用されうる。
【００９５】
回数アイコン２００３は、複数獲得されうる報奨オブジェクトについて、獲得の回数を表示する。複数獲得されない報奨オブジェクトの場合、回数アイコン２００３が表示されなくてもよい。また、複数獲得されうる報奨オブジェクトの場合、獲得された回数が２回になってから回数アイコン２００３が表示されてもよいし、獲得された回数が１回のうちから回数アイコン２００３が表示されて、複数獲得が可能であることを表示してもよい。
【００９６】
ＮＥＷアイコン２００５は、新たにユーザについて登録された報奨オブジェクトについて表示される。ＮＥＷアイコン２００５は、例えば報奨獲得通知画面１５００などで当該報奨オブジェクトに対応する報奨画像２０００が初めて表示された場合に限って表示されてもよいし、獲得された報奨オブジェクトが報奨一覧画面１６００や行動まとめ画面１７００において確認されるまで表示されてもよいし、獲得後の所定の期間にわたって表示されてもよい。
【００９７】
（４．報奨の例）
続いて、上記で説明した本実施形態における報奨オブジェクトの具体的な例について、さらに説明する。
【００９８】
（４−１．概要）
表１は、本実施形態において設定されうる報奨の概要を示す図である。報奨は、例えば以下の６つの系統で設定されうる。
【００９９】
【表１】
2014203597.tif 000003
【０１００】
以下、それぞれの系統について、より具体的に説明する。
【０１０１】
（４−２．初めての行動）
「初めての行動」の系統の報奨は、例えばクライアント装置１００の行動認識部１０３による行動認識の結果として、所定の種類の行動が初めて実行された場合に登録されうる。より具体的な例を以下に示す。なお、下記の例における「確定した」は、センサデータや位置情報などの複数のデータを解析した結果、その行動が実行されていると確定したことを意味し、「検出した」は、センサデータに基づいてその行動が実行されたことが検出されたことを意味する。なお、「初めての行動」の系統の報奨は、基本的に１回だけ登録される。
【０１０２】
【表２】
2014203597.tif 000004
【０１０３】
（４−３．初めての操作）
「初めての操作」系統の報奨は、例えばクライアント装置１００の操作部（タッチパネルなど）を介した操作によって、サービス上で何らかの設定の変更がされた場合に登録されうる。なお、投稿が条件となる場合、投稿が実際にサーバに到達することが条件とされなくてもよい。つまり、実際には通信条件などのために投稿がサーバに到達しなくても、クライアント装置１００において投稿の操作が実行されていれば報奨が登録されうる。より具体的な例を以下に示す。なお、「初めての操作」の系統の報奨も、基本的に１回だけ登録される。
【０１０４】
【表３】
2014203597.tif 000005
【０１０５】
（４−４．所定時間の行動）
「所定時間の行動」の系統の報奨は、例えばクライアント装置１００の行動認識部１０３による行動認識の結果として、所定の種類の行動が所定の時間以上連続して実行された場合に登録されうる。より具体的な例を以下に示す。なお、「初めての行動」の系統の報奨は、複数回登録されることが可能であってもよい。この場合、例えば１日に３時間歩いた場合に「１日に１時間歩いた」の報奨が３つ登録されないように、同じ日に同じ報奨が既に登録されている場合、さらなる報奨の登録が抑制されてもよい。この場合、１日に３時間歩くと、例えば「１日に１時間歩いた」の報奨と「１日に３時間歩いた」の報奨とが１つずつ登録されうる。
【０１０６】
【表４】
2014203597.tif 000006
【０１０７】
（４−５．他のユーザの行動）
「他のユーザの行動」の系統の報奨は、例えばクライアント装置１００の表示制御部１０７がディスプレイに表示させている仮想空間表示画面１２００において、表示されたユーザオブジェクトによって示される他のユーザの行動が所定の条件を満たした場合に表示されうる。つまり、この場合、第１のユーザ（行動情報を提供しているユーザ）とは異なる第２のユーザ（クライアント装置１００のユーザ）がクライアント装置１００のディスプレイに表示された仮想空間表示画面１２００を介して第１のユーザのユーザオブジェクト１２０１を観察した時間における、第１のユーザの行動情報に基づいて報奨オブジェクトが登録されるともいえる。より具体的な例を以下に示す。なお、「他のユーザの行動」の系統の報奨は、複数回登録されることが可能であってもよい。
【０１０８】
【表５】
2014203597.tif 000007
【０１０９】
ここで、上記の例において、仮想空間表示画面１２００において単一のユーザオブジェクトが所定の行動をとったことが条件になる場合、このユーザオブジェクトはクライアント装置１００のユーザ（仮想空間表示画面１２００を観察しているユーザ）とは異なるユーザのユーザオブジェクトに限定されてもよい。この場合、必ずしもユーザ自身がコントロールできない他のユーザの行動が条件になるため、報奨の難易度が上がる。あるいは、条件になるユーザのオブジェクトとして、クライアント装置１００のユーザ自身のユーザオブジェクトが許容されてもよい。この場合、ユーザ自身の行動を仮想空間表示画面１２００においてユーザオブジェクトとして表示させることに対して報奨を与えることができ、ユーザがユーザオブジェクトに所望の動作（ポーズ、乗り物に乗る、動きなど）を実行させるために様々な行動をとることを推奨することができる。
【０１１０】
一方、上記の例において、仮想空間表示画面１２００において複数のユーザオブジェクトが同時に所定の行動をとったことが条件になる場合、複数のユーザオブジェクトの中にはクライアント装置１００のユーザ自身が含まれてもよい。さらに、クライアント装置１００のユーザ以外のユーザが、クライアント装置１００のユーザとは離れた場所にいることが条件とされてもよい。ここでは、第１のユーザ（行動情報を提供しているユーザ）とは異なる第２のユーザ（クライアント装置１００のユーザ）がクライアント装置１００のディスプレイに表示された仮想空間表示画面１２００を介して第１のユーザのユーザオブジェクト１２０１を観察した時間における、第１のユーザ「および第１のユーザとは離れた場所にいる第２のユーザ」の行動情報に基づいて報奨オブジェクトが登録されるともいえる。この場合も、必ずしもユーザ自身がコントロールできない他のユーザの行動が条件になるため、報奨の難易度が上がる。あるいは、クライアント装置１００のユーザを含む複数のユーザオブジェクトが条件になる場合、これらのユーザが同じ場所にいることが許容されてもよい。この場合、例えば、友人全員でエレベータに乗って全員で報奨を獲得する、といったように、他のユーザとの協力によって報奨を獲得する楽しみが得られる。
【０１１１】
あるいは、複数のユーザオブジェクトが条件になる場合も、単一のユーザオブジェクトが条件になる場合と同様に、各ユーザオブジェクトがクライアント装置１００のユーザ（仮想空間表示画面１２００を観察しているユーザ）とは異なるユーザのユーザオブジェクトに限定されてもよい。
【０１１２】
なお、「他のユーザの行動」の系統の報奨には、上記の例の他にもさまざまなバリエーションが可能であるため、以下でそのうちのいくつかについて説明する。
【０１１３】
例えば、上記の例のように、複数のユーザが所定の行動を同時に実行すること（同じ乗り物に３人同時に乗る、など）や、複数のユーザが互いに異なる所定の種類の行動を同時に実行すること（互いに異なる乗り物に同時に乗る、など）の他に、それぞれのユーザが所定の行動を順次実行することを条件にしてもよい。例えば、複数のユーザが所定の行動を順次実行すること（同じ乗り物にまずユーザＡが、次にユーザＢが乗る、など）や、複数のユーザが互いに異なる所定の種類の行動を順次実行すること（まずユーザＡが、次にユーザＢが、互いに異なる乗り物に乗る、など）が条件とされてもよい。
【０１１４】
また、複数のユーザが所定の行動を実行しないことを条件にしてもよい。例えば、クライアント装置１００のユーザが仮想空間表示画面１２００を表示している時間（短いと意味がないので、例えば１０分以上）を第１の時間として、この第１の時間内に複数のユーザオブジェクトがいずれも所定の行動を実行しない（例えば、バスに乗らない、など）ことを条件にしてもよい。
【０１１５】
また、上記のように複数のユーザが所定の行動（互いに異なる所定の行動でもよい）を同時に実行することや、複数のユーザが所定の行動（互いに異なる所定の行動でもよい）を順次実行することが条件とされる場合、複数のユーザのうちの一部または全部について、位置情報などの行動情報以外の情報が条件として利用されてもよい。例えば、ユーザＡがバスに乗り、ユーザＣが電車に乗り、ユーザＢは北海道で待機することが条件にされてもよい。
【０１１６】
同様の例として、条件に環境情報や交通条件などが含まれてもよい。例えば、クライアント装置１００が湿度センサを備える場合、複数のユーザが同時に（または順次）所定以上の湿度の中で歩いたことが条件にされてもよい。また、天気の環境情報が利用可能である場合、複数のユーザが同時に（または順次）雨の中で自転車に乗ったことが条件にされてもよい。また、クライアント装置１００がユーザの心拍数を計測可能である場合、複数のユーザが同時に（または順次）自転車に乗り、かつ所定以上の心拍数に到達したことが条件とされてもよい。また、交通情報が利用可能である場合、複数のユーザが共通して利用する交通機関に障害が発生した場合に、所定の時刻までに職場などに到着したユーザについて報奨オブジェクトが登録されてもよい。また、ユーザの通勤時間帯などが推定可能である場合には、普段は通勤で自動車を利用しているにもかかわらず、通勤時間帯に自動車に乗らずに移動したユーザに報奨オブジェクトが登録されてもよい。
【０１１７】
また、複数のユーザが実行する所定の行動は、必ずしも単一の行動でなくてよく、複数の行動からなるシーケンスが所定の行動として扱われてもよい。例えば、複数のユーザが同時に（または順次）同じ広告を見た後で電車に乗ったり、複数のユーザが同時に（または順次）同じ広告を見た後で同じ場所に行ったり（位置情報を利用）することが条件とされてもよい。
【０１１８】
そのほかには、例えば、位置情報と行動情報とを組み合わせて条件とする例として、複数のユーザが同じ場所に行くために異なる乗り物に乗ることが条件とされてもよい。また、単純に複数のユーザがエレベータに乗るのではなく、複数のユーザが同じビルのエレベータに乗ることが条件とされてもよい。また、数が限定されている特定のスポットにその数と同じユーザが行って（例えば、日本三景のそれぞれに３人のユーザが行くなど）、同時に（または順次）に座る、しゃがむなどの同じ行動を実行することを条件にしてもよい。さらには、気圧センサによって取得される高度の情報を利用して、同じビルの中で下の階にいるユーザから順に所定の行動を実行する（例えば立ち上がるなど）ことを条件としてもよい。また、ウェアラブル端末などを利用してユーザの視線を検出することが可能である場合、複数のユーザがそれぞれ異なる場所で同じものを視認することを条件としてもよい。
【０１１９】
（４−６．共有ユーザの増加）
「共有ユーザの増加」の系統の報奨は、例えばサーバ２０の共有設定保持部２０１において、クライアント装置１００のユーザとの間で行動情報の共有設定が生成されたユーザが所定の数に到達し、そのユーザを含むリスト表示画面１１００が表示された場合に登録されうる。より具体的な例を以下に示す。なお、「共有ユーザの増加」の系統の報奨は、基本的に１回だけ登録される。
【０１２０】
【表６】
2014203597.tif 000008
【０１２１】
（４−７．ランクイン）
「ランクイン」の系統の報奨は、例えばサーバ２０のランキング情報保持部２１１において、クライアント装置１００のユーザを所定の順で含むランキングが生成された場合に登録されうる。より具体的な例を以下に示す。なお、「ランクイン」の系統の報奨は、複数回登録されることが可能であってもよい。
【０１２２】
【表７】
2014203597.tif 000009
【０１２３】
報奨は、例えば上述の例のように、例えばアプリケーション上で報奨画像として見ることができる仮想的なオブジェクトであってもよいが、他の実施形態では、実際の有価物、例えばポイントや割引券、特定の場所の入場権利などがユーザに与えられてもよい。また、上記の報奨の条件として推奨される行動を例示したが、これとは逆に、推奨されない行動を条件とするマイナスの報奨が設定されてもよい。この場合、ポイントが没収されたり、仮想的な、または現実での場所への入場権利やサービスの利用権利が停止されたりしてもよい。
【０１２４】
（５．ハードウェア構成）
次に、図１４を参照して、本開示の実施形態に係る情報処理装置のハードウェア構成について説明する。図１４は、情報処理装置のハードウェア構成を説明するためのブロック図である。図示された情報処理装置９００は、例えば、上記の実施形態におけるクライアント装置１００またはサーバ装置２００を実現しうる。
【０１２５】
情報処理装置９００は、ＣＰＵ（Central  Processing  unit）９０１、ＲＯＭ（Read  Only  Memory）９０３、およびＲＡＭ（Random  Access  Memory）９０５を含む。また、情報処理装置９００は、ホストバス９０７、ブリッジ９０９、外部バス９１１、インターフェース９１３、入力装置９１５、出力装置９１７、ストレージ装置９１９、ドライブ９２１、接続ポート９２３、通信装置９２５を含んでもよい。さらに、情報処理装置９００は、必要に応じて、撮像装置９３３、およびセンサ９３５を含んでもよい。情報処理装置９００は、ＣＰＵ９０１に代えて、またはこれとともに、ＤＳＰ（Digital  Signal  Processor）またはＡＳＩＣ（Application  Specific  Integrated  Circuit）と呼ばれるような処理回路を有してもよい。
【０１２６】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置９００内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一次記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Peripheral  Component  Interconnect/Interface）バスなどの外部バス９１１に接続されている。
【０１２７】
入力装置９１５は、例えば、マウス、キーボード、タッチパネル、ボタン、スイッチおよびレバーなど、ユーザによって操作される装置である。入力装置９１５は、例えば、赤外線やその他の電波を利用したリモートコントロール装置であってもよいし、情報処理装置９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、情報処理装置９００に対して各種のデータを入力したり処理動作を指示したりする。
【０１２８】
出力装置９１７は、取得した情報をユーザに対して視覚的または聴覚的に通知することが可能な装置で構成される。出力装置９１７は、例えば、ＬＣＤ（Liquid  Crystal  Display）、ＰＤＰ（Plasma  Display  Panel）、有機ＥＬ（Electro-Luminescence）ディスプレイなどの表示装置、スピーカおよびヘッドホンなどの音声出力装置、ならびにプリンタ装置などでありうる。出力装置９１７は、情報処理装置９００の処理により得られた結果を、テキストまたは画像などの映像として出力したり、音声または音響などの音声として出力したりする。
【０１２９】
ストレージ装置９１９は、情報処理装置９００の記憶部の一例として構成されたデータ格納用の装置である。ストレージ装置９１９は、例えば、ＨＤＤ（Hard  Disk  Drive）などの磁気記憶部デバイス、半導体記憶デバイス、光記憶デバイス、または光磁気記憶デバイスなどにより構成される。このストレージ装置９１９は、ＣＰＵ９０１が実行するプログラムや各種データ、および外部から取得した各種のデータなどを格納する。
【０１３０】
ドライブ９２１は、磁気ディスク、光ディスク、光磁気ディスク、または半導体メモリなどのリムーバブル記録媒体９２７のためのリーダライタであり、情報処理装置９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【０１３１】
接続ポート９２３は、機器を情報処理装置９００に直接接続するためのポートである。接続ポート９２３は、例えば、ＵＳＢ（Universal  Serial  Bus）ポート、ＩＥＥＥ１３９４ポート、ＳＣＳＩ（Small  Computer  System  Interface）ポートなどでありうる。また、接続ポート９２３は、ＲＳ−２３２Ｃポート、光オーディオ端子、ＨＤＭＩ（High-Definition  Multimedia  Interface）ポートなどであってもよい。接続ポート９２３に外部接続機器９２９を接続することで、情報処理装置９００と外部接続機器９２９との間で各種のデータが交換されうる。
【０１３２】
通信装置９２５は、例えば、通信ネットワーク９３１に接続するための通信デバイスなどで構成された通信インターフェースである。通信装置９２５は、例えば、有線または無線ＬＡＮ（Local  Area  Network）、Ｂｌｕｅｔｏｏｔｈ（登録商標）、またはＷＵＳＢ（Wireless  USB）用の通信カードなどでありうる。また、通信装置９２５は、光通信用のルータ、ＡＤＳＬ（Asymmetric  Digital  Subscriber  Line）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などである。
【０１３３】
撮像装置９３３は、例えば、ＣＣＤ（Charge  Coupled  Device）またはＣＭＯＳ（Complementary  Metal  Oxide  Semiconductor）などの撮像素子、および撮像素子への被写体像の結像を制御するためのレンズなどの各種の部材を用いて実空間を撮像し、撮像画像を生成する装置である。撮像装置９３３は、静止画を撮像するものであってもよいし、また動画を撮像するものであってもよい。
【０１３４】
センサ９３５は、例えば、加速度センサ、ジャイロセンサ、地磁気センサ、光センサ、音センサなどの各種のセンサである。センサ９３５は、例えば情報処理装置９００の筐体の姿勢など、情報処理装置９００自体の状態に関する情報や、情報処理装置９００の周辺の明るさや騒音など、情報処理装置９００の周辺環境に関する情報を取得する。また、センサ９３５は、ＧＰＳ（Global  Positioning  System）信号を受信して装置の緯度、経度および高度を測定するＧＰＳセンサを含んでもよい。
【０１３５】
以上、情報処理装置９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【０１３６】
（６．補足）
本開示の実施形態は、例えば、上記で説明したような情報処理装置（クライアント装置またはサーバ装置）、システム、情報処理装置またはシステムで実行される情報処理方法、情報処理装置を機能させるためのプログラム、およびプログラムが記録された一時的でない有形の媒体を含みうる。
【０１３７】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０１３８】
なお、以下のような構成も本開示の技術的範囲に属する。
（１）プロセッサを備え、前記プロセッサが、
第１のユーザの行動を示す第１の行動情報を取得する行動情報取得機能と、
前記第１の行動情報に基づいて生成され前記第１のユーザを表す第１のユーザオブジェクトを表示部に表示させる表示制御機能と、
前記第１のユーザとは異なる第２のユーザが前記表示部を介して前記第１のユーザオブジェクトを観察した第１の時間における前記第１の行動情報に基づいて報奨オブジェクトを前記第２のユーザに関連付けて登録する報奨登録機能と
を実現する情報処理装置。
（２）前記行動情報取得機能は、複数のユーザを含む前記第１のユーザの行動を示す前記第１の行動情報を取得する、前記（１）に記載の情報処理装置。
（３）前記報奨登録機能は、前記第１の行動情報によって、前記複数のユーザが前記第１の時間内に同じ所定の種類の行動を実行したことが示される場合に前記報奨オブジェクトを登録する、前記（２）に記載の情報処理装置。
（４）前記報奨登録機能は、前記第１の行動情報によって、前記複数のユーザが前記第１の時間内に同時に同じ所定の種類の行動を実行したことが示される場合に前記報奨オブジェクトを登録する、前記（３）に記載の情報処理装置。
（５）前記報奨登録機能は、前記第１の行動情報によって、前記複数のユーザが前記第１の時間内に順次同じ所定の種類の行動を実行したことが示される場合に前記報奨オブジェクトを登録する、前記（３）に記載の情報処理装置。
（６）前記報奨登録機能は、前記第１の行動情報によって、前記複数のユーザが前記第１の時間内に互いに異なる所定の種類の行動を実行したことが示される場合に前記報奨オブジェクトを登録する、前記（２）に記載の情報処理装置。
（７）前記報奨登録機能は、前記第１の行動情報によって、前記複数のユーザが前記第１の時間内に同時に互いに異なる所定の種類の行動を実行したことが示される場合に前記報奨オブジェクトを登録する、前記（６）に記載の情報処理装置。
（８）前記報奨登録機能は、前記第１の行動情報によって、前記複数のユーザが前記第１の時間内に順次互いに異なる所定の種類の行動を実行したことが示される場合に前記報奨オブジェクトを登録する、前記（６）に記載の情報処理装置。
（９）前記報奨登録機能は、前記第１の行動情報によって、前記複数のユーザが前記第１の時間内に複数の種類の行動を所定の順序で実行したことが示される場合に前記報奨オブジェクトを登録する、前記（２）に記載の情報処理装置。
（１０）前記報奨登録機能は、前記第１の行動情報によって、前記複数のユーザが前記第１の時間内に所定の種類の行動を実行しなかったことが示される場合に前記報奨オブジェクトを登録する、前記（２）に記載の情報処理装置。
（１１）前記報奨登録機能は、前記第１の行動情報によって、前記第１のユーザが前記第１の時間内に複数の種類の行動を所定の順序で実行したことが示される場合に前記報奨オブジェクトを登録する、前記（１）に記載の情報処理装置。
（１２）前記行動情報取得機能は、前記第２のユーザの行動を示す第２の行動情報をさらに取得し、
前記第１のユーザと前記第２のユーザとは互いに離れた場所におり、
前記報奨登録機能は、前記第１の時間における前記第２の行動情報にさらに基づいて前記報奨オブジェクトを登録する、前記（１）〜（１０）のいずれか１項に記載の情報処理装置。
（１３）プロセッサが、
第１のユーザの行動を示す第１の行動情報を取得することと、
前記第１の行動情報に基づいて生成され前記第１のユーザを表す第１のユーザオブジェクトを表示部に表示させることと、
前記第１のユーザとは異なる第２のユーザが前記表示部を介して前記第１のユーザオブジェクトを観察した第１の時間における前記第１の行動情報に基づいて報奨オブジェクトを前記第２のユーザに関連付けて登録することと
を含む情報処理方法。
（１４）コンピュータに、
第１のユーザの行動を示す第１の行動情報を取得する行動情報取得機能と、
前記第１の行動情報に基づいて生成され前記第１のユーザを表す第１のユーザオブジェクトを表示部に表示させる表示制御機能と、
前記第１のユーザとは異なる第２のユーザが前記表示部を介して前記第１のユーザオブジェクトを観察した第１の時間における前記第１の行動情報に基づいて報奨オブジェクトを前記第２のユーザに関連付けて登録する報奨登録機能と
を実現させるためのプログラム。
【符号の説明】
【０１３９】
１０    システム
２０    サーバ
１００    クライアント装置
１０３    行動認識部
１０５    行動情報取得部
１０７    表示制御部
１１１    報奨登録部
２００    サーバ装置
２０１    共有設定保持部
２０７    報奨画像保持部
２０９    報奨履歴保持部
２１１    ランキング情報保持部
【図１】
2014203597.tif 000010
【図２】
2014203597.tif 000011
【図３】
2014203597.tif 000012
【図４】
2014203597.tif 000013
【図５】
2014203597.tif 000014
【図６】
2014203597.tif 000015
【図７】
2014203597.tif 000016
【図８】
2014203597.tif 000017
【図９】
2014203597.tif 000018
【図１０】
2014203597.tif 000019
【図１１】
2014203597.tif 000020
【図１２】
2014203597.tif 000021
【図１３】
2014203597.tif 000022
【図１４】
2014203597.tif 000023
【国際調査報告】
2014203597.tif 000024
2014203597.tif 000025
2014203597.tif 000026
2014203597.tif 000027